(57)【要約】  【課題】  シングル丸編機により編成される孔空き編地からなり、孔端縁から糸がほつれないようにする。  【解決手段】  シングル丸編機により穴あき編地を編成する編成方法であって、コース毎に段階的にウエール方向に１針づつ目移し、次ぎのコースで目移した針をタックして穴端縁にほつれを発生させず、１針穴、２針穴、３針穴と段階的にウエール方向に大きさを拡大可とした穴を設け、該穴を所要のパターンでコース方向あるいは／およびウエール方向で繰り返してメッシュ状ジャガード柄部を設け、該ジャガード柄部を編地の全体あるいは部分的に設けている。  【選択図】  図１
2006169648.tif 000002
【特許請求の範囲】
【請求項１】
シングル丸編機により穴あき編地を編成する編成方法であって、
コース毎に段階的にウエール方向に１針づつ目移し、次ぎのコースで目移した針をタックして穴端縁にほつれを発生させず、１針穴、２針穴、３針穴と段階的にウエール方向に大きさを拡大可とした穴を設け、該穴を所要のパターンでコース方向あるいは／およびウエール方向で繰り返してメッシュ状ジャガード柄部を設け、該ジャガード柄部を編地の全体あるいは部分的に設けているシングル丸編機による編成方法。
【請求項２】
前記編地が請求項１に記載の方法で編成されている編地からなる衣類。
【請求項３】
シングル丸編機で編成された編地からなり、メッシュ状ジャガード柄部を全体あるいは任意の位置に設けていることを特徴とする編地からなる衣類。
【請求項４】
ショーツ、シャツ、キャミソール、スパッツ、Ｔシャツ、タンクトップ、セータ、スカート等のインナーあるいはアウターのトップ衣類あるいはボトム衣類としている請求項２または請求項３に記載の編地からなる衣類。
【発明の詳細な説明】
【技術分野】
【０００１】
本発明は、シングル丸編機による編地の編成方法および丸編機で編成された編地からなる衣類に関し、特に、編地の任意の領域に複数の孔を所要のパターンで繰り返すメッシュ状ジャガード柄部を丸編みしているものである。
【背景技術】
【０００２】
従来、衣類（特にインナー）の通気性を良くするため、複数の孔が設けられたメッシュ部を発汗部位と対応する領域に備えた衣類が提供されている。
また、本出願人は、特開２００２−３４８７０２号（特許文献１）において、メッシュ部を備えたストッキングを提供している。該メッシュ部を形成する孔Ｈは、図８に示すように、隣接する前コースＣ１、後コースＣ２の間に、前コースＣ１のループのうち所要個数の複数の連続したループＲ１に後コースＣ２の編み糸のループＲ２を外して形成している。
【０００３】
特許文献１で提供しているストッキングの形成方法であれば、後コースＣ２の編み糸を前コースＣ１のループＲ１から外して形成するだけで容易に孔Ｈを形成でき、また、連続して外すループの個数を変えるだけで孔Ｈの大きさを様々に変えることができる。
しかしながら、孔Ｈを形成している部分では、ループを外して前後方向で編み糸のつながりを持たせていないため、ループを外して形成した孔の周縁でループが後コースの編み糸とつながりを持たせていないため切れやすくなり、強度上で改良の余地がある。
【特許文献１】特開２００２−３４８７０２号公報
【発明の開示】
【発明が解決しようとする課題】
【０００４】
本発明は前記問題に鑑みてなされたものであり、シングル丸編機により編成され、穴端縁からほつれを生じさせない強度の高いメッシュ部を設けた編成方法および、前記穴を有する丸編地からなる衣類を提供することを課題としている。
【課題を解決するための手段】
【０００５】
前記課題を解決するため、本発明は、シングル丸編機により穴あき編地を編成する編成方法であって、
コース毎に段階的にウエール方向に１針づつ目移し、次ぎのコースで目移した針をタックして穴端縁にほつれを発生させず、１針穴、２針穴、３針穴と段階的にウエール方向に大きさを拡大可とした穴を設け、該穴を所要のパターンでコース方向あるいは／およびウエール方向で繰り返してメッシュ状ジャガード柄部を設け、該ジャガード柄部を編地の全体あるいは部分的に設けているシングル丸編機による編成方法を提供している。
【０００６】
本発明の編成方法によれば、前記従来例のようにループを外して孔を形成するだけでなく、次のコースで目移しした針にタックしてループを形成しているため、形成する孔の端縁から糸のほつれが発生しやすい問題を解決することができる。
【０００７】
前記ウエール方向へ目移しする針本数は１本の最小穴でもよいし、１本〜２本、１〜３本、…１本〜７本と次第に拡大する穴とすることができ、最大７本程度とすることが好ましい。穴の大きさ及び穴の位置に応じて変化するメッシュ状ジャガード柄は、デザイン上の観点や、穴による通気性を考慮した機能上の観点から設定される。
即ち、コース方向およびウエール方向で穴を大きく形成し、該穴を囲む枠部を最小面積とし、これを連続させることで大きな網目のメッシュ部を形成することができる。また、穴をコース方向およびウエール方向でかなり大きな間隔をあけて同一穴あるいは形状の相違する穴を組み合わせると、メッシュ状というよりはデザイン上の穴を間欠的に備えたジャガード柄となる。
【０００８】
前記メッシュ状ジャガード柄部は、衣類の用途に応じて、編地全体あるいは任意の位置に設けることができる。
例えば、大きな穴が繰り返されるメッシュ状ジャガード柄部ば、発汗部位に対応した通気性を特に高めたい部位に設けることが好ましい。
具体的には、シャッツの脇下、バストとウエストの間、背中の中央部分等に通気性を有するメッシュ状ジャガード柄部を設けている女性用、男性用のトップ側下着を丸編機で編成した編地から形成している。
また、ショーツやパンツのクロッチ隣接部、脇線ライン、臀裂ライン、腹部左右臀部、大腿部周りに当たる部分にメッシュ状ジャガード柄部を設けている女性用、男性用のアンダー側下着を丸編機で編成した編地から形成している。
さらに、編地全体を大きな網目のメッシュ状ジャガード柄部として、アウタートップとしても良い。
【０００９】
このように、任意の大きさ及び任意の位置に端縁にほつれを生じさせない穴を設けたメッシュ状ジャガード柄をシングル丸編機で編成できることにより、インナー、アウターと問わず、また、トップ衣類、ボトム衣類を問わず、さらに女性用、男性用をとわず、広範囲にメッシュ状ジャガード柄を有する衣類をシングル丸編機で編成することができる。
【００１０】
具体的には、女性用ショーツ、男性用パンツ、シャツ、キャミソール、スパッツ、Ｔシャツ、タンクトップ、セータ、スカート等からなるシングル丸編機で編成された編地からなる衣類を本発明は提供している。
【発明の効果】
【００１１】
前述したように、本発明の編成方法によれば、シングル丸編機において、コース毎に目移した針に、次ぎのコースでタックしているため、孔端縁において前後コースの糸がつながりを持たせ編まれるため、穴の端縁で糸にほつれを発生させないようにすることができる。
かつ、１針穴、２針穴、３針穴と段階的にウエール方向に大きさを拡大可とした穴を設けることができ、かつ、該穴を所要のパターンでコース方向あるいは／およびウエール方向で繰り返して、メッシュ状ジャガード柄部を編地の全体あるいは任意の位置に部分的に設けることができる。
その結果、メッシュ状ジャガード柄部をデザイン上あるいは通気性の機能上の観点から所要位置に備えたインナー、アウターのシングル丸編機で編成された編地からなる衣類を簡単に製造して提供することができる。
【発明を実施するための最良の形態】
【００１２】
本発明の実施形態を図面を参照して説明する。
図１及び図２は、本発明の第１実施形態を示し、シングル丸編機で編成された編地からなるアウター用の長袖丸首の衣類１０からなる。
【００１３】
前記衣類１０の前身項１１の一部には、コース方向およびウエール方向に間欠的に最小の穴Ｈ１を有するメッシュ状ジャガード柄部を設けた第１領域１１Ａと、ウエール方向に順次複数本の針を目移しして大きな穴Ｈ２をコース方向およびウエール方向に規則的に設け、これらの穴Ｈ２を最小面積の枠部Ｍで囲むメッシュ状態ジャガード柄部を設けた第２領域１１Ｂを形成している。第１領域１１Ａ、第２領域１１Ｂのメッシュ状ジャガード柄部はいずれもデザインを付与するために設けたものである。
他の部分の前身項１１、後身項１２、両袖１３Ａ、１３Ｂには穴を設けずに、平編みとしている。
【００１４】
前記前身項１１と後身項１２とはシングル丸編機で連続編成された筒状編地からなり、左右の肩部で縫着すると共に、丸首部はニットインで端始末不要の編組織としている。
両袖１３Ａ、１３Ｂもそれぞれシングル丸編機で連続編成された小径の筒状編地からなり、肩部では前記前後身項と縫着し、袖口はニットインで端始末不要の編組織としている。よって、縫製箇所は前後身頃の肩部と、両袖１３Ａ、１３Ｂと前後身頃のアームホールのみである。
【００１５】
前記第１領域１１Ａの１針孔Ｈ１は、図２に示す編み組織とし、図中、第１コースＣ１では針Ｎ１〜Ｎｎをすべて作用位置に位置させて糸をループしニットしている。第２コースＣ２では針Ｎ１、Ｎ２は作用位置に位置させて糸をループしニットし、針Ｎ３は不作用位置として１針分ミスさせ、針Ｎ３に糸をひっかけておき、次ぎの第３コースＣ３では針Ｎ１〜Ｎｎをすべて作用位置とし、針Ｎ３でタックして第３コースＣ３に目移し、第２コースＣ２の針Ｎ３の部分に１針穴Ｈ１を形成している。このように編むことにより穴Ｈ１の両端で糸が連続し、穴端縁で糸が切断されず、糸のほつれが発生しない。
【００１６】
前記第２領域１１Ｂの複数針穴Ｈ２は、図３に示す編み組織とし、第２コースＣ２では前記と同様に１針穴を形成し、第３コースＣ３では針Ｎ３とＮ４とをミスして２針飛ばし、第４コースＣ４では針Ｎ３，Ｎ４，Ｎ５をミスして３針飛ばしとしている。各コースの穴端縁では前記と同様に次ぎのコースでミスした端縁の針にタックし、これを繰り返すことにより、ウエール方向に跨がる穴Ｈ２の端縁の糸が連続し、糸のほつれを発生させない。
大きな穴Ｈ２をコース方向およびウエール方向に繰り返しパターンで連続させることにより、第２領域１１Ｂは大きな空隙を有するメッシュ状ジャガード柄となる。
【００１７】
前記のように、１針穴Ｈ１、複数針穴Ｈ２のいずれも、穴端縁において、次コースに目移ししてタックし糸を連続させているため、穴端縁で糸が切れずに、穴端縁から糸のほつれを発生させない。
【００１８】
前記構成の１針穴からなる小さい穴Ｈ１を繰り返しパターンで形成した第１領域１１Ａと、多数針穴からなる大きな穴Ｈ２を繰り返しパターンで形成した第２領域１１Ｂを設けることにより、前身頃１１はジャガード柄を有するデザイン性に優れた丸編みされたアウター用の長袖丸首の衣類１０とすることができる。
【００１９】
図４（Ａ）（Ｂ）は第２実施形態の女性用ショーツ２０であり、第１実施形態と同様にシングル丸編機で連続編成した編地から形成している。
前記ショーツ２０では、ウエスト部分となる編み終わり部分２１を除いて、編地全体を大きな穴Ｈ２を設けたメッシュ状ジャガード柄としている。なお、クロッチ部は無地でもメッシュ状ジャガード柄でも良く、また、図示していないが、別に裁断したクロッチ布を股部内面側に縫着してもよい。編み終わり部分２１は折り返してウエスト部分としている。
【００２０】
図５は第４実施形態の半袖シャツ３０からなる春夏対応の男性用下着を示す。
半袖シャツ３０は、第１、第２実施形態と同様に、シングル丸編機で編成した筒状編地から形成している。
該半袖シャツ３０では、前身項３１と後身項３２の中央部に小さい穴Ｈ１を繰り返しパターンで設けた第１領域３１Ａ、３２Ａをネック回りの中央部に設け、腋下に大きな穴Ｈ２を繰り返しパターンで設けた第２領域３３を設けている。
【００２１】
図６（Ａ）（Ｂ）は第４実施形態のキャミソール４０からなる女性用下着を示す。
キャミソール４０も前記実施形態と同様に、シングル丸編機で編成した筒状編地を所要形状に裁断して、前後肩部の先端を縫着して形成している。
前身項４１では下端部から胸部下端にかけて大きな穴Ｈ２を繰り返しパターンで設けた第２領域４１Ｂを設け、その上部側に左右カップ部を除く領域に小さい穴Ｈ１を繰り返しパターンで設けた第１領域４１Ａを設けている。後身頃４２は全面大きな穴Ｈ２を繰り返しパターンで設けた領域としている。
【００２２】
図７は第５実施形態の女性用ショーツ５０であり、第１実施形態と同様にシングル丸編機で連続編成した編地から形成している。
前記ショーツ５０の前身頃は、大きな孔Ｈ２を繰り返しパターンで設けたメッシュ状ジャガード柄を三角形状で連続させたの第１領域５０Ａをウエスト周りに沿って設けている。
なお、女性用のショーツにかぎらず、男性用パンツにも前記メッシュ状ジャガード柄を部分的に配置して、デザイン性を高める事が好ましい。
【００２３】
本発明は前記実施形態に限定されず、穴の大きさ、穴の位置、穴の繰り返しパターンは任意であり、用途に応じたデザイン性や、通風性の機能を適宜に衣類に付与することができる。
【図面の簡単な説明】
【００２４】
【図１】本発明の第１実施形態の長袖衣類の正面図である。
【図２】１針穴の編組織を示す図面である。
【図３】複数針穴の編み組織を示す図面である。
【図４】第２実施形態のショーツを示し、（Ａ）は正面図、（Ｂ）は背面図である。
【図５】第３実施形態の半袖シャツを示し、（Ａ）は正面図、（Ｂ）は背面図である。
【図６】第４実施形態のキャミソールを示し、（Ａ）は正面図、（Ｂ）は背面図である。
【図７】第５実施形態の女性用パンツを示す正面図である。
【図８】従来例を示す図面である。
【符号の説明】
【００２５】
１０  衣類
１１  前身項
１１Ａ  １針穴を有する第１領域
１１Ｂ  多数針穴を有する第２領域
Ｈ１  １針穴
Ｈ２  多針穴
【図１】
2006169648.tif 000003
【図２】
2006169648.tif 000004
【図３】
2006169648.tif 000005
【図４】
2006169648.tif 000006
【図５】
2006169648.tif 000007
【図６】
2006169648.tif 000008
【図７】
2006169648.tif 000009
【図８】
2006169648.tif 000010